(57)【特許請求の範囲】
【請求項１】
光記録媒体において、
使用者データが記録されるウォッブルトラックを備え、前記ウォッブルトラックに記録されたウォッブル信号は、同じ周波数の相異なるエッジ波形を有する第１信号および第２信号を用いて第１ヘッダ情報がエッジ変調されて載せられた単一周波数信号であり、
前記ウォッブル信号のエッジ変調された区間の少なくとも一部には第２ヘッダ情報が位相変調されて載せられていることを特徴とする光記録媒体。
【請求項２】
前記ウォッブル信号のエッジ変調された区間の少なくとも一部には第３ヘッダ情報が振幅変調されて載せられていることを特徴とする請求項１に記載の光記録媒体。
【請求項３】
前記第１ヘッダ情報はアドレシング情報を備えることを特徴とする請求項１に記載の光記録媒体。
【請求項４】
光記録媒体にウォッブル信号を記録する装置において、
同じ周波数の相異なるエッジ波形を有する第１信号及び第２信号を基にしてエッジ変調された第１ヘッダ情報と位相変調された第２ヘッダ情報とが載せられている単一周波数ウォッブル信号を生成するウォッブル信号生成部と、
前記ウォッブル信号生成部により生成されたウォッブル信号を前記光記録媒体に記録する記録部とを備えることを特徴とする記録装置。
【請求項５】
前記ウォッブル信号生成部は、前記第１及び第２信号を生成するキャリア信号生成部と、
前記第１ヘッダ情報を前記第１信号及び第２信号を用いてエッジ変調するエッジ変調部と、
前記第２ヘッダ情報を前記第１信号または第２信号を用いて位相変調する位相変調部と、
前記エッジ変調部から出力されたエッジ変調信号と前記位相変調部から出力された位相変調信号とを合成して前記単一周波数ウォッブル信号を出力する信号合成部とを備えることを特徴とする請求項４に記載の記録装置。
【請求項６】
光記録媒体にウォッブル信号を記録する方法において、
（ａ）同じ周波数の相異なるエッジ波形を有する第１信号及び第２信号を生成する段階と、
（ｂ）生成された第１信号及び前記第２信号を用いてエッジ変調された第１ヘッダ情報及び位相変調された第２ヘッダ情報が載せられている単一周波数ウォッブル信号を生成する段階と、
（ｃ）生成された単一周波数ウォッブル信号を記録する段階とを備えることを特徴とする記録方法。
【請求項７】
前記（ｂ）段階は、
（ｂ１）クロック信号を生成する段階と、
（ｂ２）生成されたクロック信号により前記第１ヘッダ情報を前記第１信号及び第２信号を用いてエッジ変調する段階と、
（ｂ３）生成されたクロック信号により前記第２ヘッダ情報を前記第１信号及び第２信号を用いて位相変調する段階と、
（ｂ４）前記（ｂ２）段階のエッジ変調信号と前記（ｂ３）段階の位相変調信号を重畳して前記単一周波数ウォッブル信号を合成する段階とを備えることを特徴とする請求項６に記載の記録方法。
【請求項８】
光記録媒体に記録されたウォッブル信号からヘッダ情報を再生する方法において、
（ａ）同じ周波数の相異なるエッジ波形を有する第１信号及び第２信号を用いてエッジ変調されたヘッダ情報が載せられている単一周波数ウォッブル信号を読み出す段階と、
（ｂ１）読み出されたウォッブル信号の中心レベルより所定レベル大きい上層レベルに対するデューティ信号を生成する段階と、
（ｂ２）読み出されたウォッブル信号の中心レベルより所定レベル小さい下層レベルに対するデューティ信号を生成する段階と、
（ｃ）（ｂ１）段階と（ｂ２）段階とで生成された各デューティ信号を比較してヘッダ情報を抽出する段階とを備えることを特徴とする再生方法。
【請求項９】
前記（ｃ）段階は、
（ｃ１）前記（ｂ１）及び（ｂ２）段階で生成されたデューティ信号のデューティ比を各々比較して二進データを生成する段階と、
（ｃ２）検出された二進データから前記ヘッダ情報を抽出する段階とを備えることを特徴とする請求項８に記載の再生方法。
【請求項１０】
光記録媒体に記録されたウォッブル信号からヘッダ情報を再生する方法において、
（ａ）同じ周波数の相異なるエッジ波形を有する第１信号及び第２信号を用いてエッジ変調されたヘッダ情報が載せられた単一周波数ウォッブル信号を読み出す段階と、
（ｂ）読み出されたウォッブル信号の所定位相でのレベルを検出する段階と、
（ｃ）検出されたレベルを所定基準値と比較してヘッダ情報を抽出する段階とを備えることを特徴とする再生方法。
【請求項１１】
前記（ｃ）段階は、
（ｃ１）検出されたレベルを所定基準値と比較して二進データを生成する段階と、
（ｃ２）生成された二進データを復調してヘッダ情報を抽出する段階とを備えることを特徴とする請求項１０に記載の再生方法。
【請求項１２】
光記録媒体に記録されたウォッブル信号からヘッダ情報を再生する方法において、
（ａ）同じ周波数の相異なるエッジ波形を有する第１信号及び第２信号を用いてエッジ変調されたヘッダ情報が載せられている単一周波数ウォッブル信号を読み出す段階と、
（ｂ）読み出されたウォッブル信号に対する微分信号を生成する段階と、
（ｃ）生成された微分信号に基づいてヘッダ情報を抽出する段階とを備え、
前記（ｃ）段階は、
（ｃ１）前記微分信号の上位エンベロープ信号を検出する段階と、
（ｃ２）前記微分信号の下位エンベロープ信号を検出する段階と、
（ｃ３）前記上位エンベロープ信号と前記下位エンベロープ信号とに基づいてヘッダ情報を抽出する段階とを備えることを特徴とする再生方法。
【請求項１３】
前記（ｃ３）段階は、
（ｃ３１）前記上位エンベロープ信号と下位エンベロープ信号との差信号を得る段階と、
（ｃ３２）得られた差信号のレベルを所定基準値と比較して二進データを生成する段階と、
（ｃ３３）生成された二進データを復調してヘッダ情報を抽出する段階とを備えることを特徴とする請求項１２に記載の再生方法。
【請求項１４】
光記録媒体に記録されたウォッブル信号からヘッダ情報を再生する装置において、
同じ周波数の相異なるエッジ波形を有する第１信号及び第２信号を用いてエッジ変調されたヘッダ情報が載せられている単一周波数ウォッブル信号を読み出すウォッブル信号読出し部と、
読み出されたウォッブル信号の中心レベルより所定レベル大きい上層レベル及び所定レベル小さい下層レベルに対するデューティ信号を各々生成するデューティ信号生成部と、
生成された各デューティ信号を比較してヘッダ情報を抽出するヘッダ情報抽出部とを備えることを特徴とする再生装置。
【請求項１５】
前記ヘッダ情報抽出部は、前記デューティ信号生成部により生成された対応デューティ信号のデューティ比を比較して二進データを生成する比較器と、前記比較器により生成された二進データから前記ヘッダ情報を復調する復調器とを備えることを特徴とする請求項１４に記載の再生装置。
【請求項１６】
光記録媒体に記録されたウォッブル信号からヘッダ情報を再生する装置において、
同じ周波数の相異なるエッジ波形を有する第１信号及び第２信号を用いてエッジ変調されたヘッダ情報が載せられている単一周波数ウォッブル信号を読み出すウォッブル信号読出し部と、
読み出されたウォッブル信号の所定位相でのレベルを検出するレベル検出部と、
検出されたレベルを所定基準値と比較してヘッダ情報を抽出するヘッダ情報抽出部とを備えることを特徴とする再生装置。
【請求項１７】
前記ヘッダ情報抽出部は、
検出されたレベルを所定基準値と比較して二進データを生成する比較器と、
前記比較器により生成された二進データを復調してヘッダ情報を抽出する復調器とを備えることを特徴とする請求項１６に記載の再生装置。
【請求項１８】
光記録媒体に記録されたウォッブル信号からヘッダ情報を再生する装置において、
同じ周波数の相異なるエッジ波形を有する第１信号及び第２信号を用いてエッジ変調されたヘッダ情報が載せられている単一周波数ウォッブル信号を読み出すウォッブル信号読出し部と、
読み出されたウォッブル信号に対する微分信号を生成する微分部と、
生成された微分信号に基づいてヘッダ情報を抽出するヘッダ情報抽出部とを備え、
前記ヘッダ情報抽出部は、前記微分信号の上位エンベロープ信号及び下位エンベロープ信号を検出するエンベロープ検出器を備え、
前記ヘッダ情報抽出部は前記エンベロープ検出器により検出された上位エンベロープ信号と前記下位エンベロープ信号とに基づいてヘッダ情報を抽出することを特徴とする再生装置。
【請求項１９】
前記ヘッダ情報抽出部は、
前記上位エンベロープ信号と下位エンベロープ信号との差信号を得る演算器と、
前記演算器により得られた差信号のレベルを所定基準値と比較して二進データを生成する比較器と、
生成された二進データを復調してヘッダ情報を抽出する復調器とを備えることを特徴とする請求項１８に記載の再生装置。
【発明の詳細な説明】
【０００１】
【発明の属する技術分野】
本発明は光記録媒体に係り、より詳細にはウォッブル信号が記録されたウォッブルトラックが形成された光記録媒体、そのウォッブル信号の記録方法、記録装置、ウォッブル信号の再生方法及び再生装置に関する。
【０００２】
【従来の技術】
ＤＶＤ−ＲＡＭなど記録可能な光ディスクには同心円または螺旋形のトラック（グルーブトラックまたはランドトラック）が形成されている。トラックには振幅方向の変化を利用してウォッブル信号が記録される。ウォッブル信号が記録されたトラックをウォッブルトラックと呼ぶ。ウォッブル信号は記録／再生時の同期情報を得るための補助クロック信号を記録する手段の一つである。ウォッブル信号は記録／再生装置に設けられたトラッキングサーバメカニズムに影響を与えない帯域の周波数を有してシステムクロックを補助する補助クロック信号として使われる。ＤＶＤ−ＲＡＭ規格（ＤＶＤ Ｓｐｅｃｉｆｉｃａｔｉｏｎｓ ｆｏｒ Ｒｅｗｒｉｔａｂｌｅ Ｄｉｓｃ Ｖｅｒｓｉｏｎ２．０）は半径方向トラックキングのためのサーボ帯域は約３ＫＨｚで、ウォッブル信号の周波数は標準線速度でおよそ１５７ＫＨｚになるように規定している。
【０００３】
ウォッブルトラックにはピックアップ装置により使用者データが記録される。レーザビームを通して使用者データを記録するためには、記録装置に備えられて記録用レーザを発振させるピックアップ装置が所望の位置に移動できなければならない。このために、光ディスクにはピックアップ装置をして所望の位置に移動させるためのアドレシング情報が記録される。ここで、「アドレシング情報」は「情報トラックを複数の単位記録ブロックに分割した時、各単位記録ブロックに対して付与される識別情報」を指す。
【０００４】
従来光ディスクにアドレシング情報を記録する代表的な方法は、使用者データが記録されるトラックと区分されるヘッダ情報領域を別個に形成し、そこにアドレシング情報を記録する方法である。
【０００５】
図１は従来の光ディスクの概略図である。
【０００６】
図１を参照すれば、光ディスクには使用者データ領域のトラック（ランドトラック及び／またはグルーブトラック）が形成されており、ヘッダ情報領域がトラックと別個に設けられている。ヘッダ情報領域はセクタ（単位記録ブロック）のあらかじめ決められた領域に配置され、記録／再生装置に備えられたピックアップ装置はヘッダ情報領域に記録されたアドレシング情報を通じて所望の位置に容易に移動できる。ひいては、ヘッダ情報領域に記録されたセクタ番号、セクタタイプ、情報トラックなどを認識でき、サーボ制御もできる。
【０００７】
１９９９ ＤＶＤ ＲＡＭ 標準 バージョン２．０によるヘッダ情報記録方式は、ＣＡＰＡ（Ｃｏｍｐｌｅｍｅｎｔａｒｙ Ａｌｌｏｃａｔｅｄ Ｐｉｔ Ａｄｄｒｅｓｓ）方式である。ＣＡＰＡ方式は図１に図示されたように、一つのセクタに４つのヘッダ情報を記録するのであるが、２つずつ１組になって情報トラックの中心から左右に１／２トラックずつ外れるように記録する方式である。
【０００８】
しかし、別個のヘッダ情報領域を設けることは光ディスク製造工程を複雑にするだけではなく、ピックアップ装置がヘッダ情報領域を通過する間にはウォッブル信号を正しく得られないので、これを補償するための追加回路が必要になる。さらに、マルチメディアコンテンツの利用が普遍化するにつれ、高密度記録媒体に対する要求が高まっている時点で、ヘッダ情報領域を別個に設けることは使用者データを記録できる領域を狭める結果を招く。
【０００９】
【発明が解決しようとする課題】
本発明の目的は、より多くの使用者データを記録できる光記録媒体、そのウォッブル信号記録方法、記録装置、そのウォッブル信号再生方法及び再生装置を提供することである。
【００１０】
本発明の他の目的は、ヘッダ情報を抽出できると共に、より安定したクロック信号を得られるウォッブル信号が記録された光記録媒体、そのウォッブル信号記録方法、記録装置、そのウォッブル信号再生方法及び再生装置を提供することである。
【００１１】
【課題を解決するための手段】
前記目的は、本発明により、使用者データが記録されるウォッブルトラックを備え、前記ウォッブルトラックに記録されたウォッブル信号は第１ヘッダ情報がエッジ変調されて載せられた単一周波数信号であることを特徴とする光記録媒体により達成される。
【００１２】
前記ウォッブル信号のエッジ変調された区間の少なくとも一部には第２ヘッダ情報が位相変調されて載せられている。
【００１３】
前記第１ヘッダ情報はアドレシング情報を含む。
【００１４】
一方、本発明の他の分野によれば、前記目的は、光記録媒体にウォッブル信号を記録する装置において、同じ周波数の相異なるエッジ波形を有する第１信号及び第２信号を基にしてエッジ変調されたヘッダ情報が載せられた単一周波数のウォッブル信号を生成するウォッブル信号生成部と、前記ウォッブル信号生成部により生成されたウォッブル信号を前記光記録媒体に記録する記録部とを備えることを特徴とする記録装置によりも達成される。
【００１５】
前記ウォッブル信号生成部はクロック信号を発生するクロック発生部と、前記クロック信号に基づいて前記第１及び第２信号を生成するキャリア信号生成部と、ヘッダ情報を入力されて前記クロック信号を基にして前記キャリア信号生成部から出力された前記第１及び第２信号を用いてエッジ変調するエッジ変調部を備えることが望ましい。
【００１６】
前記エッジ変調部はデジタルデータのハイレベル及びローレベルに前記第１及び第２信号を各々対応させてアナログ信号に変調する。
【００１７】
また、前記目的は、光記録媒体にウォッブル信号を記録する装置において、同じ周波数の相異なるエッジ波形を有する第１信号及び第２信号を基にしてエッジ変調された第１ヘッダ情報と位相変調された第２ヘッダ情報とが載せられた単一周波数ウォッブル信号を生成するウォッブル信号生成部と、前記ウォッブル信号生成部により生成されたウォッブル信号を前記光記録媒体に記録する記録部とを備えることを特徴とする記録装置によりも達成される。
【００１８】
前記ウォッブル信号生成部は前記第１及び第２信号を生成するキャリア信号生成部と、前記第１ヘッダ情報を前記第１信号及び第２信号を用いてエッジ変調するエッジ変調部と、前記第２ヘッダ情報を前記第１信号または第２信号を用いて位相変調する位相変調部と、前記エッジ変調部から出力されたエッジ変調信号と前記位相変調部から出力された位相変調信号とを合成して前記単一周波数ウォッブル信号を出力する信号合成部とを備えることを特徴とする記録装置によりも達成される。
【００１９】
一方、本発明の他の分野によれば、前記目的は、光記録媒体にウォッブル信号を記録するウォッブル信号記録方法において、（ａ）同じ周波数の相異なるエッジ波形を有する第１信号及び第２信号を生成する段階と、（ｂ）生成された第１信号及び第２信号を用いてエッジ変調されたヘッダ情報が載せられた単一周波数ウォッブル信号を生成する段階と、（ｃ）生成された単一周波数ウォッブル信号を記録する段階とを備えることを特徴とする記録方法によりも達成される。
【００２０】
前記（ｂ）段階は、（ｂ１）クロック信号を生成させる段階と、（ｂ２）生成されたクロック信号によりヘッダ情報を前記第１信号及び第２信号を用いてエッジ変調する段階を備えることが望ましい。
【００２１】
前記（ｂ２）段階は、デジタルデータのハイレベル及びローレベルに前記第１及び第２信号を各々対応させてアナログ信号に変調する段階である。
【００２２】
また、前記目的は光記録媒体にウォッブル信号を記録するウォッブル信号記録方法において、（ａ）同じ周波数の相異なるエッジ波形を有する第１信号及び第２信号を生成する段階と、（ｂ）生成された第１信号及び前記第２信号を用いてエッジ変調された第１ヘッダ情報及び位相変調された第２ヘッダ情報が載せられた単一周波数ウォッブル信号を生成する段階と、（ｃ）生成された単一周波数ウォッブル信号を記録する段階とを備えることを特徴とする記録方法によりも達成される。
【００２３】
前記（ｂ）段階は、（ｂ１）クロック信号を生成する段階と、（ｂ２）生成されたクロック信号により前記第１ヘッダ情報を前記第１信号及び第２信号を用いてエッジ変調する段階と、（ｂ３）生成されたクロック信号により前記第２ヘッダ情報を前記第１信号または第２信号を用いて位相変調する段階と、（ｂ４）前記（ｂ２）段階のエッジ変調信号と前記（ｂ３）段階の位相変調信号を重畳して前記単一周波数ウォッブル信号を合成する段階とを備えることが効果的である。
【００２４】
一方、本発明の他の分野によれば、前記目的は、（ａ）同じ周波数の相異なるエッジ波形を有する第１信号及び第２信号を用いてエッジ変調されたヘッダ情報が載せられた単一周波数ウォッブル信号を読み出す段階と、（ｂ）読み出されたウォッブル信号に対するデューティ信号を生成する段階と、（ｃ）生成されたデューティ信号を比較してヘッダ情報を抽出する段階とを備えることを特徴とするヘッダ情報再生方法によりも達成される。
【００２５】
前記（ｂ）段階は、（ｂ１）読み出されたウォッブル信号の中心レベルより所定レベル大きい上層レベルに対するデューティ信号を生成する段階と、（ｂ２）読み出されたウォッブル信号の中心レベルより所定レベル小さい下層レベルに対するデューティ信号を生成する段階とを備える。
【００２６】
前記（ｃ）段階は、（ｃ１）前記（ｂ１）及び（ｂ２）段階で生成されたデューティ信号のデューティ比を各々比較して二進データを生成する段階と、（ｃ２）検出された二進データから前記ヘッダ情報を抽出する段階を備える。
【００２７】
また、前記目的は、（ａ）同じ周波数の相異なるエッジ波形を有する第１信号及び第２信号を用いてエッジ変調されたヘッダ情報が載せられた単一周波数ウォッブル信号を読み出す段階と、（ｂ）読み出されたウォッブル信号の所定位相でのレベルを検出する段階と、（ｃ）検出されたレベルを所定基準値と比較してヘッダ情報を抽出する段階とを備えることを特徴とするヘッダ情報再生方法によりも達成される。
【００２８】
前記（ｃ）段階は、（ｃ１）検出されたレベルを所定基準値と比較して二進データを生成する段階と、（ｃ２）生成された二進データを復調してヘッダ情報を抽出する段階とを備えることが望ましい。
【００２９】
一方、前記目的は、（ａ）同じ周波数の相異なるエッジ波形を有する第１信号及び第２信号を用いてエッジ変調されたヘッダ情報が載せられた単一周波数ウォッブル信号を読み出す段階と、（ｂ）読み出されたウォッブル信号に対する微分信号を生成する段階と、（ｃ）生成された微分信号に基づいてヘッダ情報を抽出する段階とを備えることを特徴とするヘッダ情報再生方法によりも達成される。
【００３０】
前記（ｃ）段階は、（ｃ１）前記微分信号の上位エンベロープ信号を検出する段階と、（ｃ２）前記微分信号の下位エンベロープ信号を検出する段階と、（ｃ３）前記上位エンベロープ信号と前記下位エンベロープ信号とに基づいてヘッダ情報を抽出する段階とを備えることが望ましい。
【００３１】
前記（ｃ３）段階は、（ｃ３１）前記上位エンベロープ信号と下位エンベロープ信号との差信号を得る段階と、（ｃ３２）得られた差信号のレベルを所定基準値と比較して二進データを生成する段階と、（ｃ３３）生成された二進データを復調してヘッダ情報を抽出する段階とを備えることが望ましい。
【００３２】
一方、本発明の他の分野によれば、前記目的は、ウォッブル信号からヘッダ情報を再生する装置において、同じ周波数の相異なるエッジ波形を有する第１信号及び第２信号を用いてエッジ変調されたヘッダ情報が載せられた単一周波数ウォッブル信号を読み出すウォッブル信号読出し部と、読み出されたウォッブル信号に対するデューティ信号を生成するデューティ信号生成部と、生成されたデューティ信号を比較してヘッダ情報を抽出するヘッダ情報抽出部とを備えることを特徴とする再生装置によりも達成される。
【００３３】
前記デューティ信号生成部は読み出されたウォッブル信号の中心レベルより所定レベル大きい上層レベル及び所定レベル小さい下層レベルに対するデューティ信号を各々生成することが望ましい。
【００３４】
前記ヘッダ情報抽出部は前記デューティ信号生成部により生成された対応デューティ信号のデューティ比を比較して二進データを生成する比較器と、前記比較器により生成された二進データから前記ヘッダ情報を復調する復調器とを備えることが効果的である。
【００３５】
一方、前記目的は、ウォッブル信号からヘッダ情報を再生する装置において、同じ周波数の相異なるエッジ波形を有する第１信号及び第２信号を用いてエッジ変調されたヘッダ情報が載せられた単一周波数ウォッブル信号を読み出すウォッブル信号読出し部と、読み出されたウォッブル信号の所定位相でのレベルを検出するレベル検出部と、検出されたレベルを所定基準値と比較してヘッダ情報を抽出するヘッダ情報抽出部とを備えることを特徴とする再生装置によりも達成される。
【００３６】
前記ヘッダ情報抽出部は、検出されたレベルを所定基準値と比較して二進データを生成する比較器と、前記比較器により生成された二進データを復調してヘッダ情報を抽出する復調器とを備えることが効果的である。
【００３７】
一方、前記目的は、ウォッブル信号からヘッダ情報を再生する装置において、同じ周波数の相異なるエッジ波形を有する第１信号及び第２信号を用いてエッジ変調されたヘッダ情報が載せられた単一周波数ウォッブル信号を読み出すウォッブル信号読出し部と、読み出されたウォッブル信号に対する微分信号を生成する微分部と、生成された微分信号に基づいてヘッダ情報を抽出するヘッダ情報抽出部とを備えることを特徴とする再生装置によりも達成される。
【００３８】
前記ヘッダ情報抽出部は、前記微分信号の上位エンベロープ信号及び下位エンベロープ信号を検出するエンベロープ検出器を備え、前記ヘッダ情報抽出部は前記エンベロープ検出器により検出された上位エンベロープ信号と前記下位エンベロープ信号とに基づいてヘッダ情報を抽出することが望ましい。
【００３９】
前記ヘッダ情報抽出部は、前記上位エンベロープ信号と下位エンベロープ信号との差信号を得る演算器と、前記演算器により得られた差信号のレベルを所定基準値と比較して二進データを生成する比較器と、生成された二進データを復調してヘッダ情報を抽出する復調器とを備えることがより一層望ましい。
【００４０】
【発明の実施の形態】
以下、添付図面を参照して本発明の望ましい実施形態について詳細に説明する。
【００４１】
図２は本発明の望ましい実施形態による光記録媒体の概略図である。
【００４２】
図２を参照すれば、本実施形態による光ディスクには同心円（ａ）または螺旋形（ｂ）のトラック（グルーブトラック／ランドトラック）が形成されている。トラックにはウォッブル信号が記録される。ウォッブル信号は記録／再生時に同期情報を得るための補助クロック信号を記録する手段の一つである。ウォッブル信号は記録／再生装置に設けられたトラッキングサーバのメカニズムに影響を与えない帯域の周波数を持ってシステムクロックを補助する補助クロック信号として使われる。
【００４３】
図３Ａ及び図３Ｂは図２の情報トラックの形成例である。
【００４４】
図示されたように、ウォッブル信号は光ディスクの基板を製作する過程、すなわちマスタリング過程でレーザビームを利用してグルーブトラックを記録する時、レーザビームの左右に一定量のオフセットを付加してグルーブトラックの両壁面に形状変化を与え記録される。図３Ａを参照すれば、グルーブトラックの両壁面にどちらもウォッブル信号が記録されており、図３Ｂはグルーブトラックの１側壁面にだけウォッブル信号が記録されている。このように本発明によるウォッブル信号は必要によりトラックの１側または両壁面に記録されうる。
【００４５】
図４は本発明によるウォッブル信号記録装置のブロック図である。
【００４６】
図４を参照すれば、ウォッブル信号記録装置はウォッブル信号生成部４と記録部５とを含む。ウォッブル信号生成部４は本発明によるウォッブル信号を生成する。すなわち、同じ周波数の相異なるエッジ波形を有する第１信号及び第２信号を用いてヘッダ情報をエッジ変調することによりヘッダ情報が載せられている単一周波数ウォッブル信号を生成する。エッジ変調は後述する。
【００４７】
記録部５はウォッブル信号生成部４により生成されたウォッブル信号を光記録媒体４００に記録する。このために記録部５はレーザビームを発振できるレーザダイオードが設けられたピックアップ装置を具備する。
【００４８】
図５は図４のウォッブル信号記録装置の参考例による詳細ブロック図である。
【００４９】
図５を参照すれば、ウォッブル信号記録装置のウォッブル信号発生部４は、クロック発生部４１、キャリア信号発生部４２及びエッジ変調部４３を具備する。クロック発生部４１はクロック信号を発生する。キャリア信号発生部４２はクロック発生部４１から入力されたクロック信号に基づいて第１及び第２信号を生成する。第１及び第２信号は互いに同じ周波数を有するが、相異なるエッジ波形を有する。エッジ変調部４３はヘッダ情報を入力されてクロック信号を基にしてキャリア信号発生部から生成されたキャリア信号の第１及び第２信号を用いてエッジ変調する。ここで、ヘッダ情報はアドレシング情報を含む。
【００５０】
図６は図５のキャリア信号発生部４２により生成された第１及び第２信号の概略図である。
【００５１】
図６の（ａ）は、本発明の参考例による第１信号を示し、（ｂ）は第２信号を示す。図示されたように、第１及び第２信号は周波数は同じであるが、相異なるエッジ波形を有する。特に、第２信号は正弦波である。従って、ウォッブル信号のうちヘッダ情報が載せられていない純粋ウォッブル区間が存在する場合、純粋ウォッブル区間は第２信号で表示されることが望ましい。
【００５２】
図７は図６の第１及び第２信号によりエッジ変調されたウォッブル信号の概略図である。
【００５３】
図７を参照すればヘッダ情報がデジタルデータで表示されたヘッダ情報ビット列が「１０１０１０１０」である時、ハイレベル「１」は第１信号に対応され、ローレベル「０」は第２信号に対応される。すなわち、本参考例によるウォッブル信号は第１及び第２信号を基にしてエッジ変調された信号であることが確認できる。
【００５４】
前記のような構成を基礎として本発明の参考例によるウォッブル信号記録方法を説明すれば次の通りである。
【００５５】
図８は本発明の参考例によるウォッブル信号記録方法を説明するためのフローチャートである。
【００５６】
図８を参照すれば、クロック発生部４１はクロック信号を生成する（８０１段階）。キャリア信号発生部４２はクロック信号を基にして同一周波数を有するが、相異なるエッジ波形を有する第１及び第２信号を生成する（８０２段階）。エッジ変調部４３はヘッダ情報を入力されて第１及び第２信号を用いてエッジ変調し、単一周波数を有するウォッブル信号を生成する（８０３段階）。記録部５は生成されたウォッブル信号を光ディスク４００に記録する（８０４段階）。
【００５７】
図９は図４のウォッブル信号記録装置の第１実施形態による詳細ブロック図である。
【００５８】
図９を参照すれば、ウォッブル信号記録装置のウォッブル信号生成部４は、クロック発生部９１、キャリア信号生成部９２、エッジ変調部９３、位相変調部９４及び信号合成部９５を具備する。クロック発生部９１はクロック信号を発生する。キャリア信号生成部９２は、クロック発生部９１から入力されたクロック信号に基づいてキャリア信号を生成する。エッジ変調部９３は、第１ヘッダ情報を入力されてクロック信号を基にしてキャリア信号を用いてエッジ変調する。位相変調部９４は、第２ヘッダ情報を入力されてクロック信号を基にしてキャリア信号を用いて位相変調する。信号合成部９５は、エッジ変調された信号及び位相変調された信号を合成して本実施形態によるウォッブル信号を生成する。記録部５は、生成されたウォッブル信号を光ディスク４００に記録する。ここで、第１及び第２ヘッダ情報はアドレシング情報を含む。このように、第１及び２ヘッダ情報は、一つのウォッブル信号に載せられるようになるので、ウォッブル信号を通じてより多くのヘッダ情報を記録できる。さらに、第１及び２ヘッダ情報の少なくとも一部が同じ情報より構成される場合、ウォッブル信号に載せられたヘッダ情報の密度が高まってヘッダ情報区間を縮められる。ウォッブル信号のうちヘッダ情報区間が縮まり、正弦波より構成された純粋ウォッブル区間が延びると、より安定してクロック信号を検出できるメリットがある。
【００５９】
図１０は図９のウォッブル信号生成部４から生成された各信号の概略図である。
【００６０】
図１０を参照すれば、（ａ）は第１ヘッダ情報がデジタル信号で表示された第１ヘッダ情報のビット列が「１０１」である時、エッジ変調部９３によりエッジ変調されたエッジ変調信号を示す。（ｂ）は第２ヘッダ情報がデジタル信号で表示された第２ヘッダ情報ビット列が「０１１」である時、位相変調部９４により位相変調された位相変調信号を示す。（ｃ）は信号合成部９５により第１ヘッダ情報ビット列「１０１」に対するエッジ変調信号と第２ヘッダ情報ビット列に対する位相変調信号とが合成されて得られたウォッブル信号である。
【００６１】
前記のような構成を基として本発明の第１実施形態によるウォッブル信号記録方法を説明すれば次の通りである。
【００６２】
図１１は本発明の第１実施形態によるウォッブル信号記録方法を説明するためのフローチャートである。
【００６３】
図１１を参照すれば、クロック発生部９１はクロック信号を生成する（１１０１段階）。キャリア信号生成部９２はクロック信号を基にして同一周波数の相異なるエッジ波形を有する第１及び第２信号を生成する（１１０２段階）。エッジ変調部９３は第１ヘッダ情報を入力されて第１及び第２信号を用いてエッジ変調する（１１０３段階）。位相変調部９４は第２ヘッダ情報を入力されて第１及び第２信号を用いて位相変調する（１１０４段階）。信号合成部９５はエッジ変調信号（ａ）と位相変調信号（ｂ）とを合成して本実施形態による単一周波数のウォッブル信号（ｃ）を生成する（１１０５段階）。記録部５は生成されたウォッブル信号を光ディスク４００に記録する（１１０６段階）。
【００６４】
図１２Ａは本発明によるウォッブル信号の他の例を説明するための図であり、図１２Bは参考例によるウォッブル信号のさらに他の例を説明するための図である。
【００６５】
図１２Ａを参照すれば、（ａ）には第１ヘッダ情報のビット列がエッジ変調されたエッジ変調信号が図示されており、（ｂ）には第２ヘッダ情報のビット列が位相変調された位相変調信号が図示されており、（ｃ）には第３ヘッダ情報のビット列が振幅変調された変調信号が図示されている。（ｃ）の変調信号はハイレベル「１」とローレベル「０」とが同じ波形と周波数とを有する正弦波で表示されるが、ハイレベル「１」の一部区間は振幅が０である差を有する。すなわち、「１」と「０」との一周期波形の反復回数が相異なる。（ｄ）は（ａ）のエッジ変調信号、（ｂ）の位相変調信号及び（ｃ）の変調信号が合成されたウォッブル信号を示している。このように、第１、２及び３ヘッダ情報は一つのウォッブル信号に載せられるので、ウォッブル信号を通じてより一層多くのヘッダ情報を記録できる。図１０の場合と同一に、第１、２または３ヘッダ情報の少なくとも一部が同じ場合、ウォッブル信号のうちヘッダ情報区間を減らせる。
【００６６】
他の参考例を示す図１２Ｂを参照すれば、（ａ）には第１ヘッダ情報のビット列がエッジ変調されたエッジ変調信号が図示されており、（ｂ）には第２ヘッダ情報のビット列が振幅変調された変調信号が図示されている。（ｃ）は（ａ）のエッジ変調信号及び（ｂ）の振幅変調信号が合成されたウォッブル信号を示している。同様に、第１及び２ヘッダ情報は一つのウォッブル信号に載せられるので、ウォッブル信号を通じてより多くのヘッダ情報を記録できる。さらに、図１０の場合と同様に、第１及び２ヘッダ情報の少なくとも一部が同じ場合、ウォッブル信号のうちヘッダ情報区間を縮められる。
【００６７】
図１３は本発明によるウォッブル信号が記録されたヘッダ情報区間のアドレシング情報｛ＰＩＤ（Ｐｈｙｓｉｃａｌ Ｉｄｅｎｔｉｆｉｃａｔｉｏｎ Ｄａｔａ）構造｝の一例である。
【００６８】
図１３を参照すれば、本実施形態による光ディスクには一つのＥＣＣ（Ｅｒｒｏｒ Ｃｏｒｒｅｃｔｉｏｎ Ｃｏｄｅ）ブロック（本実施形態では６４ＫＢまたは３２ＫＢより具現される）内に４つのヘッダ情報フィールドより構成されたヘッダ情報が載せられているウォッブル信号が記録されている。各ヘッダ情報フィールドには識別字ＩＤを検出するための同期データ、各セクタに対するアドレシング情報が貯蔵されているＰＩＤ、識別字ＩＤのエラー検出情報を貯蔵するＩＥＤ（ＩＤ Ｅｒｒｏｒ Ｄｅｔｅｃｔｉｏｎ）を備えうる。
【００６９】
図１４は本発明の第１実施形態によるウォッブル信号検出装置のブロック図である。
【００７０】
図１４を参照すれば、ウォッブル信号検出装置はウォッブル信号読出し部１１、デューティ信号生成部１２及びヘッダ情報抽出部１３を含む。
【００７１】
ウォッブル信号読出し部１１は光記録媒体１４００からウォッブル信号を読み出す。デューティ信号生成部１２は読み出されたウォッブル信号に対するデューティ信号を生成する。より具体的に、本実施形態によるデューティ信号生成部１２は読み出されたウォッブル信号の中心レベルより所定レベル大きい上層レベルに対するデューティ信号を生成し、読み出されたウォッブル信号の中心レベルより所定レベル小さい下層レベルに対するデューティ信号を生成する。ヘッダ情報抽出部１３はデューティ信号を比較してヘッダ情報を抽出するために比較器１３１及び復調器１３２を具備する。比較器１３１はデューティ信号生成部１２により生成された対応デューティ信号のデューティ比を比較して二進データを生成し、復調器１３２は比較器１３１により生成された二進データからヘッダ情報を復調する。ここで、復調器１３２の復調方式はヘッダ情報のエンコーディング方式により決定される。例えば、ヘッダ情報がバイフェーズ（Ｂｉ−Ｐｈａｓｅ）エンコーディングされた後で、本発明によりエッジ変調されてウォッブル信号に載せられているならば、復調器１３２はバイフェーズデコーディングを通じてヘッダ情報を抽出する。
【００７２】
図１５は図１４のデューティ信号生成部１２のデューティ信号の生成過程を説明するための参考図である。
【００７３】
図１５を参照すれば、（ａ）はエッジ変調に用いられた第１信号より構成されたウォッブル信号の概略図であり、（ｂ）はエッジ変調に用いられた第２信号より構成されたウォッブル信号の概略図である。デューティ信号生成部１２は読み出されたウォッブル信号（ａ）、（ｂ）の中心レベルＣ１、Ｃ２、中心レベルＣ１、Ｃ２より所定レベル大きい上層レベルＵ１、Ｕ２及び中心レベルＣ１、Ｃ２より所定レベル小さい下層レベルＬ１、Ｌ２でデューティ信号を生成する。（ｃ）には第１信号を基にして生成されたデューティ信号ｃ１、ｕ１、l１が図示されており、（ｄ）には第２信号を基にして生成されたデューティ信号ｃ２、ｕ２、ｌ２が図示されている。図示されたように、デューティ信号ｕ１のデューティ比がデューティ信号ｕ２のデューティ比よりより大きく、デューティ信号ｌ１のデューティ比はデューティ信号ｌ２のデューティ比よりより小さいことが分かる。このように、第１信号を基にして生成されたデューティ信号ｕ１、ｌ１と第２信号を基にして生成されたデューティ信号ｕ２、ｌ２とは相異なるので、これを基にして２値化して二進データを検出できる。ここで、デューティ信号を検出するためのレベルは実験により適切な値に決定することが望ましい。
【００７４】
前記のような構成を基にして本発明の第１実施形態によるヘッダ情報抽出方法を説明すれば次の通りである。
【００７５】
図１６は本実施形態によるヘッダ情報抽出方法を説明するためのフローチャートである。
【００７６】
図１６を参照すれば、ウォッブル信号読出し部１１は光記録媒体１４００からウォッブル信号を読み出す（１６０１段階）。
【００７７】
デューティ信号生成部１２は読み出されたウォッブル信号の所定レベルに対するデューティ信号を生成する（１６０２段階）。比較器１３１は生成されたデューティ信号のデューティ比を検出し、それを基にして二進データを検出する（１６０３段階）。復調器１３２は検出された二進データからヘッダ情報を復調する（１６０４段階）。
【００７８】
図１７は本発明の第２実施形態によるヘッダ情報検出装置のブロック図である。
【００７９】
図１７を参照すればヘッダ情報検出装置は、ウォッブル信号読出し部１６、レベル検出部１７及びヘッダ情報抽出部１８を含む。
【００８０】
ウォッブル信号読出し部１６は光記録媒体１７００からウォッブル信号を読み出す。レベル検出部１７は読み出されたウォッブル信号のレベルを検出する。より具体的に、本実施形態によるレベル検出部１７は読み出されたウォッブル信号の振幅が０である時点を中心として所定時間先行した時点または遅延された時点でレベルを検出する。ヘッダ情報抽出部１８は検出されたレベルを各々比較してヘッダ情報を抽出するために比較器１８１及び復調器１８２を具備する。比較器１８１はレベル検出部１７により検出されたレベルを比較して二進データを生成し、復調器１８２は比較器１８１により生成された二進データからヘッダ情報を復調する。同様に、復調器１８２の復調方式はヘッダ情報のエンコーディング方式により決定される。例えば、ヘッダ情報がバイフェーズエンコーディングされた後、本発明によりエッジ変調されてウォッブル信号に載せられているならば、復調器１８２はバイフェーズデコーディングを通じてヘッダ情報を抽出する。
【００８１】
図１８は図１７のレベル検出部１７のレベル検出方法を説明するための参考図である。
【００８２】
図１８を参照すれば、レベル検出部１７は読み出されたウォッブル信号の振幅が０である時点を中心として所定時間先行した時点または遅延された時点でレベルを検出する。図示されたように、台形の波形を有する第１信号の所定時点−ｔ0、ｔ0でのレベルの大きさはｂであり、正弦波の第２信号のレベルの大きさはａ（ａ＜ｂ）であることが分かる。従って、所定時点−ｔ0、ｔ0でのレベルを直接比較するか、あるいはａより大きくｂより小さい適切な基準値を決定した後で、決定された基準値と検出されたレベルとを比較して二進データを生成できる。
【００８３】
前記のような構成を基にして本発明の第２実施形態によるヘッダ情報抽出方法を説明すれば次の通りである。
【００８４】
図１９は本実施形態によるヘッダ情報抽出方法を説明するためのフローチャートである。
【００８５】
図１９を参照すれば、ウォッブル信号読出し部１６は光記録媒体１７００からウォッブル信号を読み出す（１９０１段階）。
【００８６】
レベル検出部１７は読み出されたウォッブル信号の所定時点でレベルを検出する（１９０２段階）。比較器１８１は検出されたレベルを所定基準値と比較して比較結果を基にして二進データを検出する（１９０３段階）。復調器１８２は検出された二進データからヘッダ情報を復調する（１９０４段階）。
【００８７】
図２０は本発明の第３実施形態によるヘッダ情報抽出装置のブロック図である。
【００８８】
図２０を参照すれば、ヘッダ情報抽出装置はウォッブル信号読出し部１９、微分部２０及びヘッダ情報抽出部２１を含む。
【００８９】
ウォッブル信号読出し部１９は光記録媒体２０００からウォッブル信号を読み出す。微分部２０は読み出されたウォッブル信号に対する微分信号を生成する。ヘッダ情報抽出部２１はエンベロープ検出器２１１、演算器２１２及び復調器２１４を具備する。エンベロープ検出器２１１は、微分部２０からの微分信号の上位エンベロープ信号及び下位エンベロープ信号を検出する。演算器２１２は、上位エンベロープ信号から下位エンベロープ信号を減じて差信号を得る。比較器２１３は、演算器２１２により得られた差信号のレベルを所定基準値と比較して二進データを生成する。復調器２１４は、生成された二進データを復調してヘッダ情報を抽出する。同様に、復調器２１４の復調方式はヘッダ情報のエンコーディング方式により決定される。例えば、ヘッダ情報がバイフェーズエンコーディングされた後、本発明によりエッジ変調されてウォッブル信号に載せられているならば、復調器２１４はバイフェーズデコーディングを通じてヘッダ情報を抽出する。
【００９０】
図２１は図２０のヘッダ情報抽出装置から出力される各信号を説明するための参考図である。
【００９１】
図２１を参照すれば、（ａ）はウォッブル信号読出し部１９により読み出された、エッジ変調ウォッブル信号を示し、（ｂ）は（ａ）に対して微分部２０により得られた微分信号を示す。（ｃ）は（ｂ）に対してエンベロープ検出器２１１により検出された上位エンベロープ信号と下位エンベロープ信号とを示し、（ｄ）は（ｃ）の上位エンベロープ信号から下位エンベロープ信号を差し引いた差信号を示す。差信号を（ａ）のウォッブル信号と比較してみれば、差信号からウォッブル信号に載せられている二進データを抽出できることが分かる。
【００９２】
前記のような構成を基にして本発明の第３実施形態によるヘッダ情報抽出方法を説明すれば次の通りである。
【００９３】
図２２はヘッダ情報抽出方法を説明するためのフローチャートである。
【００９４】
図２２を参照すれば、ウォッブル信号読出し部１９は光ディスク２０００からウォッブル信号（ａ）を読み出す（２２０１段階）。微分部２０は読み出されたウォッブル信号に対する微分信号（ｂ）を生成する（２２０２段階）。エンベロープ検出器２１１は生成された微分信号に対するエンベロープ信号を検出する（２２０３段階）。ヘッダ情報検出部２１は検出されたエンベロープ信号に対する所定演算を行い、演算の結果得られた信号からヘッダ情報を抽出する（２２０４段階）。
【００９５】
図２３は図２２の２２０３段階及び２２０４段階に関する一例を説明するためのフローチャートである。
【００９６】
図２３を参照すれば、２２０３段階でエンベロープ検出器２１１は生成された微分信号の上位エンベロープ信号を検出して（２３０１段階）、下位エンベロープ信号を検出する（２３０２段階）。
【００９７】
演算器２１２は上位エンベロープ信号と下位エンベロープ信号との差信号を検出した後、（２３０３段階）、得られた差信号のレベルを所定基準値と比較して二進データを生成する（２３０４段階）。復調器２１４は生成された二進データを復調してヘッダ情報を抽出する（２３０５段階）。ここで、復調器２１４に採用された復調方式は記録時採用された変調方式による。
【００９８】
【発明の効果】
以上説明した通り、本発明によれば、同じ周波数を有するキャリア信号を用いてヘッダ情報を変調して生成されたウォッブル信号を記録することにより、ウォッブル信号からヘッダ情報を抽出できると共により安定したクロック信号を抽出できる。また、ウォッブル信号の同一区間に多重的にヘッダ情報を載せることによりヘッダ情報の記録密度を高められる。
【図面の簡単な説明】
【図１】  従来の光ディスクの概略図である。
【図２】  本発明の望ましい実施形態による光記録媒体の概略図である。
【図３Ａ】  図２の情報トラックの形成例である。
【図３Ｂ】  図２の情報トラックの形成例である。
【図４】  本発明によるウォッブル信号記録装置のブロック図である。
【図５】  図４のウォッブル信号記録装置の参考例による詳細ブロック図である。
【図６】  図５のキャリア信号生成部により生成された第１及び第２信号の概略図である。
【図７】  図６の第１及び第２信号によりエッジ変調されたウォッブル信号の概略図である。
【図８】  本発明の参考例によるウォッブル信号記録方法を説明するためのフローチャートである。
【図９】  図４のウォッブル信号記録装置の第１実施形態による詳細ブロック図である。
【図１０】  図９のウォッブル信号生成部から生成された各信号の概略図である。
【図１１】  本発明の第１実施形態によるウォッブル信号記録方法を説明するためのフローチャートである。
【図１２Ａ】  本発明によるウォッブル信号の他の例を説明するための図である。
【図１２Ｂ】  参考例によるウォッブル信号のさらに他の例を説明する図である。
【図１３】  本発明によるウォッブル信号が記録されたヘッダ情報区間のアドレシング情報の一例である。
【図１４】  本発明の第１実施形態によるウォッブル信号検出装置のブロック図である。
【図１５】  図１４のデューティ信号生成部のデューティ信号生成過程を説明するための参考図である。
【図１６】  本実施形態によるヘッダ情報抽出方法を説明するためのフローチャートである。
【図１７】  本発明の第２実施形態によるヘッダ情報検出装置のブロック図である。
【図１８】  図１７のレベル検出部のレベル検出方法を説明するための参考図である。
【図１９】  本実施形態によるヘッダ情報抽出方法を説明するためのフローチャートである。
【図２０】  本発明の第３実施形態によるヘッダ情報抽出装置のブロック図である。
【図２１】  図２０のヘッダ情報抽出装置から出力される各信号を説明するための参考図である。
【図２２】  ヘッダ情報抽出方法を説明するためのフローチャートである。
【図２３】  図２２のエンベロープ信号検出段階およびヘッダ情報抽出段階の一例を説明するためのフローチャートである。
【符号の説明】
４  ウォッブル信号生成部
５  記録部
１１，１６，１９  ウォッブル信号読出し部
１２  デューティ信号生成部
１３，１８，２１  ヘッダ情報抽出部
１７  レベル検出部
２０  微分部
４１，９１  クロック発生部
４２，９２  キャリア信号生成部
４３，９３  エッジ変調部
９４  位相変調部
９５  信号合成部
１３１，１８１，２１３  比較器
１３２，１８２，２１４  復調器
２１１  エンベロープ検出器
２１２  演算器
４００，１４００，１７００，２０００  光記録媒体
【図１】
0004130541.tif 000002
【図２】
0004130541.tif 000003
【図３Ａ】
0004130541.tif 000004
【図３Ｂ】
0004130541.tif 000005
【図４】
0004130541.tif 000006
【図５】
0004130541.tif 000007
【図６】
0004130541.tif 000008
【図７】
0004130541.tif 000009
【図８】
0004130541.tif 000010
【図９】
0004130541.tif 000011
【図１０】
0004130541.tif 000012
【図１１】
0004130541.tif 000013
【図１２Ａ】
0004130541.tif 000014
【図１２Ｂ】
0004130541.tif 000015
【図１３】
0004130541.tif 000016
【図１４】
0004130541.tif 000017
【図１５】
0004130541.tif 000018
【図１６】
0004130541.tif 000019
【図１７】
0004130541.tif 000020
【図１８】
0004130541.tif 000021
【図１９】
0004130541.tif 000022
【図２０】
0004130541.tif 000023
【図２１】
0004130541.tif 000024
【図２２】
0004130541.tif 000025
【図２３】
0004130541.tif 000026